(57)【特許請求の範囲】
【請求項１】
遊技機枠の収納室を構成するリアプレートには止具がリアプレートから前側に突出するように固定され、止具にはハンドルが止具から前側に突出しかつリアプレートの前面と直交する方向の軸心を中心として回転し得るように取り付けられ、ハンドルの前部には棒状の頭部がハンドルの軸心と交差する方向に突出するように固定され、遊技盤には逃部が上記頭部とハンドルおよび止具を逃げるために前後方向に貫通するように形成され、遊技盤の前面から前側に突出する形状の合成樹脂からなる盤面飾りが遊技盤の前面に設けられ、盤面飾りにおける遊技盤の前面を覆う部分には貫通孔が形成され、釘または止ねじが盤面飾りの前側から貫通孔を経由して遊技盤に固定されることによって盤面飾りが遊技盤の前面に固定され、盤面飾りには盤面飾りと一体に形成された合成樹脂からなる板状の盤固定部が盤面飾りの前面から遊技盤の前面の側に窪むとともに遊技盤の前面に接触しかつ遊技盤の逃部を覆い隠すように設けられ、盤固定部には異形孔および滑り突起が設けられ、異形孔は上記頭部の前後方向への貫通を許容する部分と当該頭部の前後方向への貫通を阻止しかつ上記ハンドルの前後方向への貫通を許容する部分とを備えており、滑り突起は盤固定部の前面から前側に突出しかつ異形孔の周りにおける盤固定部の前面に設けられており、そして、遊技盤が遊技機枠の前側から収納室に収容されることによって、頭部およびハンドルが遊技盤の後から逃部を経由して異形孔に挿入され、頭部が盤固定部よりも前側に突出し、止具が遊技盤の後から逃部に取り込まれて盤固定部の後に配置された状態において、頭部がリアプレートの前面と直交する方向のハンドルの軸心を中心として回転されるのに伴い、頭部の裏面が滑り突起の前面に乗り上げて掛け止められて遊技盤を収納室に固定することを特徴とするパチンコ機。
【発明の詳細な説明】
【０００１】
【発明の属する技術分野】
本発明はパチンコ機であって、とりわけ、遊技盤を遊技機枠に取り付ける部分の構造に関する。
【０００２】
【従来の技術】
図３は従来の遊技盤１１を遊技機枠に交換可能に取り付ける部分の断面を示し、遊技機枠とそれに固定されたリアプレート２１とで形成された収納室２２に遊技盤１１を収納することによって、リアプレート２１に取り付けられた止具２３のハンドル２４を遊技盤１１に切り欠かれた逃部１２を経由して遊技盤１１に取り付けられた盤固定具４１の異形孔４２に挿入した後、ハンドル２４の盤固定具４１より前側に突出した棒状の頭部２５を９０度回転させて、頭部２５を異形孔４２周りの盤固定具４１の前面４３に掛け止めることによって、遊技盤１１を収納室２２に固定的に支持するようになっている。
【０００３】
【発明が解決しようとする課題】
しかし、前記従来例は、図４に示すように、合成樹脂よりなる盤固定具４１は遊技盤１１の球の飛び交うことのない非遊技領域に取り付けられる合成樹脂よりなる意匠部品としての盤面飾り５１と別々の部品として形成されており、これら別々に形成された盤固定具４１と盤面飾り５１とが互いに止ねじ５３で連結される。そして、図３に示すように互いに連結された盤面飾り５１及び盤固定具４１が木ねじ５４で遊技盤１１の意匠盤面に取り付けられている。このため、製造工程の観点から上記遊技盤１１を遊技機枠に交換可能に取り付ける部分の構造を考察すると、盤固定具４１と盤面飾り５１とを連結する作業と、盤固定具４１と盤面飾り５１とからなる連結体を遊技盤１１に取り付ける作業とが必要であるため、製造工程が複雑となり、コストダウンを図るにも限度がある。
【０００４】
そこで、本発明は製造工程を簡素にすることができるパチンコ機を提供するものである。
【０００５】
【課題を解決するための手段】
本発明に係るパチンコ機は、遊技機枠の収納室を構成するリアプレートには止具がリアプレートから前側に突出するように固定され、止具にはハンドルが止具から前側に突出しかつリアプレートの前面と直交する方向の軸心を中心として回転し得るように取り付けられ、ハンドルの前部には棒状の頭部がハンドルの軸心と交差する方向に突出するように固定され、遊技盤には逃部が上記頭部とハンドルおよび止具を逃げるために前後方向に貫通するように形成され、遊技盤の前面から前側に突出する形状の合成樹脂からなる盤面飾りが遊技盤の前面に設けられ、盤面飾りにおける遊技盤の前面を覆う部分には貫通孔が形成され、釘または止ねじが盤面飾りの前側から貫通孔を経由して遊技盤に固定されることによって盤面飾りが遊技盤の前面に固定され、盤面飾りには盤面飾りと一体に形成された合成樹脂からなる板状の盤固定部が盤面飾りの前面から遊技盤の前面の側に窪むとともに遊技盤の前面に接触しかつ遊技盤の逃部を覆い隠すように設けられ、盤固定部には異形孔および滑り突起が設けられ、異形孔は上記頭部の前後方向への貫通を許容する部分と当該頭部の前後方向への貫通を阻止しかつ上記ハンドルの前後方向への貫通を許容する部分とを備え、滑り突起は盤固定部の前面から前側に突出しかつ異形孔の周りにおける盤固定部の前面に設けられており、そして、遊技盤が遊技機枠の前側から収納室に収容されることによって、頭部およびハンドルが遊技盤の後から逃部を経由して異形孔に挿入され、頭部が盤固定部よりも前側に突出し、止具が遊技盤の後から逃部に取り込まれて盤固定部の後に配置された状態において、頭部がリアプレートの前面と直交する方向のハンドルの軸心を中心として回転されるのに伴い、頭部の裏面が滑り突起の前面に乗り上げて掛け止められて遊技盤を収納室に固定することを特徴とする。よって、本発明に係るパチンコ機は、遊技盤が収納室の前側から収納室に収容されることによって、棒状の頭部が遊技盤の後から逃部および異形孔を経由して盤固定部の前側に突出した状態において、作業者が遊技盤の前側から頭部を手で回転操作することによって、遊技盤を収納室に固定することができ、頭部と滑り突起との接触抵抗が少なく、作業者による頭部の回転操作が簡単であるうえ、盤固定部が遊技盤の前面に接触して止具の係合力をしっかりと負担することができる。
【０００６】
【発明の実施の形態】
図１〜図２は一実施形態であって、図１のａ図は盤面飾り１の平面を示し、図１のｂ図はａ図のＡ−Ａ線に沿い切断した断面を示し、図２は盤面飾り１を備えた遊技盤１１と遊技機枠との取付構造の断面を示す。
【０００７】
図１を参照し、盤面飾り１について説明する。盤面飾り１は本体部２と盤固定部３とを１つのまとまりとして合成樹脂で単一体として成形された形態である。本体部２の裏面４と盤固定部３の裏面５とは同一面内に位置する。盤固定部３の前面は本体部２の前面より裏面４；５の方向に窪んでいる。盤固定部３には中央部に貫通する異形孔６を備え、異形孔６周りに前方に突出する滑り突起７を有する。滑り突起７は異形孔６の中心を中心とする１つの円周上に位置するとともに異形孔６の長手方向両端部で互いに分離している。本体部２の盤固定部３周りには盤面飾り１を図２の遊技盤１１に取り付けるための貫通孔８が形成される。
【０００８】
図２を参照し、盤面飾り１が取り付けられた遊技盤１１を遊技機枠とそれに固定されたリアプレート２１とで形成された収納室２２に装着した形態について説明する。盤面飾り１の裏面４；５が遊技盤１１の意匠盤面に接触した状態で、釘または木ねじのような止ねじ１３が前側より貫通孔８を経由して遊技盤１１に固定されることによって、盤面飾り１が遊技盤１１に取り付けられる。このように盤面飾り１を備えた遊技盤１１が収納室２２に収納される場合、リアプレート２１に取り付けられた止具２３のハンドル２４が遊技盤１１に切り欠かれた逃部１２を経由して盤固定部３の異形孔６に挿入され、ハンドル２４の頭部２５が盤固定部３のより前側に突出する。その状態において、頭部２５が９０度回転されると、頭部２５が滑り突起７に掛け止められることによって、遊技盤１１が収納室２２に固定される。
【０００９】
本実施形態の構造によれば、盤面飾り１が本体部２と盤固定部３とを１つのまとまりとして合成樹脂で単一体として成形されているので、製造工程において、盤面飾り１を遊技盤１１に取り付ければ、盤固定部３も遊技盤１１に取り付けられるため、製造工程が簡素化されて、コストダウンを図ることができる。盤固定部３は滑り突起７を有するので、止具２３のハンドル２４が回転されて、ハンドル２４の頭部２５が滑り突起７に掛け止められる過程において、頭部２５と滑り突起７との接触抵抗が少なく、止具２３のハンドル操作が簡単である。その理由は、滑り突起７が薄肉で盤固定部３の前面より突出しているからである。よって、本体部２と盤固定部３とが盤面飾り１の意匠性を重視した同一材料で形成できるので、従前の意匠性を重視した材料から作られる盤面飾り１と滑り性を重視した材料から作られる盤固定具とからなる遊技盤１１を遊技機枠に取り付ける部分の部品の構造に比べて、材料の観点からも有利である。また、盤面飾り１の本体部２の裏面４と盤固定部３の裏面５とを同一面内に位置させたので、盤面飾り１が遊技盤１１に取り付けられた場合に、本体部２と盤固定部３とが遊技盤１１から浮き上がらず、盤固定部３が全体的に遊技盤１１に接触した形態で止具２３の係合力をしっかりと負担することができる。
【図面の簡単な説明】
【図１】  実施形態の盤面飾りであって、ａ図は平面図、ｂ図はａ図のＡ−Ａ線断面図。
【図２】  図１のＡ−Ａ線断面に相当する実施形態の盤面飾りと遊技盤との取付構造を示す断面図。
【図３】  従来の遊技盤と遊技機枠との取付部分を示す断面図。
【図４】  従来の盤固定具と盤面飾りと遊技盤との取付構造を示す断面図。
【符号の説明】
１  盤面飾り、２  本体部、３  盤固定部、６  異形孔、７  滑り突起、
１１  遊技盤、１２  逃部、２１  リアプレート、２２  収納室、
２３  止具、２４  ハンドル、２５  頭部。
【図１】
0004031638.tif 000002
【図２】
0004031638.tif 000003
【図３】
0004031638.tif 000004
【図４】
0004031638.tif 000005